(57)【要約】      （修正有）【課題】二つ折りして保持するための作業性が良く、生産性にも問題のない容易に開封でき、内容物の注ぎ出し易い包装袋を提供する。【解決手段】方形の相対向する表裏二枚の本体フィルム１、２の周縁に熱融着によりシール部が設けられた包装袋であって、左右の側辺部１１、１２より上辺部１３に向けて斜めのシール部１４、１５が設けられ、該二本の斜めシール部１４、１５の間には開口予定部１６が設けられ、開口予定部を開口するための開口誘導機構ａが斜めシール部に設けられてなり、包装袋の上辺部には上辺を二つ折りするための切り欠き部ｂが設けられ、上部両隅角には二つ折りを保持するための係止部が設けられている。【選択図】図１
2007297073.tif 000002
【特許請求の範囲】
【請求項１】
方形の相対向する表裏二枚の本体フィルムの周縁に熱融着によりシール部が設けられた包装袋であって、
左右の側辺部より上辺部に向けて斜めのシール部が設けられ、該二本の斜めシール部の間には開口予定部が設けられ、
該開口予定部を開口するための開口誘導機構が斜めシール部に設けられてなり、
包装袋の上辺部には上辺を二つ折りするための切り欠き部が設けられ、また、上部両隅角には二つ折りを保持するための係止部が設けられていることを特徴とする、包装袋。
【請求項２】
前記開口誘導機構は、包装袋の端部より内側に設けられていることを特徴とする、請求項１記載の包装袋。
【請求項３】
前記開口誘導機構は、上部より下部に向けて設けられ、途中で屈曲して開口予定部に向かう形状で設けられていることを特徴とする、請求項１又は２記載の包装袋。
【請求項４】
前記開口誘導機構がカット線であることを特徴とする、請求項１、２又は３記載の包装袋。
【請求項５】
左右の側辺部に設けられた側辺シール部と、上辺部に設けられた上辺シール部と、斜めシール部とに囲まれた領域に、未シール部分が設けられていることを特徴とする、請求項１、２、３又は４記載の包装袋。
【請求項６】
前記開口誘導機構は、切り欠き部を中心に左右対象の位置に二箇所設けられていることを特徴とする、請求項１、２、３、４又は５記載の包装袋。
【発明の詳細な説明】
【技術分野】
【０００１】
本発明は、液体、粉体など流動性を有する内容物を密封包装するための包装袋に関するものであり、特には、開封時に容易に開封でき、かつ、内容物の注ぎ出し（取り出し）易い包装袋に関する。
【背景技術】
【０００２】
従来、包装袋において、注ぎ口が形成してあり、別容器に移し替える際、注出作業を向上させる狙いの包装袋として、多くの発明が公開されている（例えば、特許文献１、２、３参照）。
【特許文献１】特開平１０−１７５６４６号公報。
【特許文献２】特開２００１−１５１２４８号公報。
【特許文献３】特開２００１−１９９４５４号公報。
【０００３】
しかし、第１の発明では、二つ折りに保持するための作業性が良くない．また、第２、第３の発明においては、作業性は改善されるものの異型抜き工程で廃棄部などがあり、生産性に問題を残す．といった問題がある。
【発明の開示】
【発明が解決しようとする課題】
【０００４】
本発明は、開封時に容易に開封でき、かつ、注ぎ出し易い包装袋に関する以上のような問題に鑑みてなされたもので、二つ折りして保持するための作業性が良く、生産性にも問題のない容易に開封でき、かつ、内容物の注ぎ出し易い包装袋を提供することを課題とする。
【課題を解決するための手段】
【０００５】
本発明の請求項１の発明は、方形の相対向する表裏二枚の本体フィルムの周縁に熱融着によりシール部が設けられた包装袋であって、左右の側辺部より上辺部に向けて斜めのシール部が設けられ、該二本の斜めシール部の間には開口予定部が設けられ、該開口予定部を開口するための開口誘導機構が斜めシール部に設けられてなり、包装袋の上辺部には上辺を二つ折りするための切り欠き部が設けられ、また、上部両隅角には二つ折りを保持するための係止部が設けられていることを特徴とする包装袋である。
【０００６】
このように請求項１記載の発明によれば、方形の相対向する表裏二枚の本体フィルムの周縁に熱融着によりシール部が設けられた包装袋であって、左右の側辺部より上辺部に向けて斜めのシール部が設けられ、該二本の斜めシール部の間には開口予定部が設けられ、該開口予定部を開口するための開口誘導機構が斜めシール部に設けられてなり、包装袋の上辺部には上辺を二つ折りするための切り欠き部が設けられ、また、上部両隅角には二つ折りを保持するための係止部が設けられているので、包装袋を二つ折りして容易に両隅角を保持することができ、開口予定部から容易に内容物を注ぎ出すことができる。
【０００７】
また、請求項２の発明は、第１の発明において、前記開口誘導機構は、包装袋の端部より内側に設けられていることを特徴とする包装袋である。
【０００８】
また、請求項３の発明は、第１又は第２の発明において、前記開口誘導機構は、上部よ
り下部に向けて設けられ、途中で屈曲して開口予定部に向かう形状で設けられていることを特徴とする包装袋である。
【０００９】
また、請求項４の発明は、第１、第２又は第３の発明において、前記開口誘導機構が切断線であることを特徴とする包装袋である。
【００１０】
このように請求項２、３又は４記載の発明によれば、開封誘導機構が包装袋の端部より内側に向けて設けられ、あるいは、上部より下部に向けて設けられ途中で屈曲して開口予定部に向かう形状で設けられており、しかも、開封誘導機構を切断線とすることにより、包装袋を容易に無理なく開封することができる。
【００１１】
また、請求項５の発明は、第１、第２、第３又は第４の発明において、左右の側辺部に設けられた側辺シール部と、上辺部に設けられた上辺シール部と、斜めシール部とに囲まれた領域に、未シール部が設けられていることを特徴とする包装袋である。
【００１２】
このように請求項１、２、３又は４記載の発明によれば、左右の側辺部に設けられた側辺シール部と、上辺部に設けられた上辺シール部と、斜めシール部とに囲まれた領域に未シール部が設けられているので、この部分がカールすることがないし、包装袋を二つ折りして両隅角を係止する際の強度保持効果が期待できる。
【００１３】
また、請求項６の発明は、第１、第２、第３、第４又は第５の発明において、前記開口誘導機構は、切り欠き部を中心に左右対象の位置に二箇所設けられていることを特徴とする包装袋である。
【００１４】
このように請求項１、２、３、４又は５記載の発明によれば、開口誘導機構は切り欠き部を中心に左右対象の位置に二箇所設けられているので、包装袋を無理なく容易に開封することができる。
【発明の効果】
【００１５】
このように本発明の包装袋は、取り出しが容易で広く使用することができる。
【発明を実施するための最良の形態】
【００１６】
本発明を一実施形態に基づいて以下に詳細に説明する。
本発明の包装袋は、例えば、図１に示すように、方形の相対向する表裏二枚の本体フィルム（１、２）の周縁に熱融着によりシール部が設けられた包装袋（１０）である。
【００１７】
そして、左右の側辺部（１１、１２）より上辺部（１３）に向けて斜めのシール部（１４、１５）が設けられ、該二本の斜めシール部（１４、１５）の間には開口予定部（１６）が設けられ、該開口予定部を開口するための開口誘導機構（ａ）が斜めシール部に設けられてなり、包装袋の上辺部には上辺を二つ折りするための切り欠き部（ｂ）が設けられ、また、上部両隅角には二つ折りを保持するための係止部（２１）が設けられていることを特徴とする包装袋である。
なお、液体等の内容物は図１における下辺部（１７）側より充填される。
【００１８】
包装袋（１０）に使用する本体フィルム（１、２）としては、特に限定はされず、包装する内容物の種類や充填後の加熱処理の有無など使用条件に応じて適する材料を適宜選定して使用することができる。通常の包装袋にはプラスチックフィルムを主体とする複合フィルムが用いられる。
【００１９】
その一例を挙げるならば、透明バリアポリエチレンテレフタレートフィルム／延伸ナイ
ロンフィルム／未延伸ポリプロピレンフィルム、透明バリアポリエチレンテレフタレートフィルム／延伸ナイロンフィルム／線状低密度ポリエチレンフィルム、透明バリアポリエチレンテレフタレートフィルム／延伸ナイロンフィルム／低密度ポリエチレンフィルム、ポリエチレンテレフタレートフィルム／延伸ナイロンフィルム／アルミニウム箔／未延伸ポリプロピレンフィルム等の層構成からなる複合フィルムが好ましく使用できる。
【００２０】
開口誘導機構（ａ）は、例えば、二本の斜めシール部（１４、１５）の略中央部分より上方に向け、途中で屈曲して上辺部のシール部分の略中央近傍にまで達するように切断線（ａ）を用いて形成されている。
このように切断線（ａ）は、二本の斜めシール部（１４、１５）の略中央部分より上方に向けて形成されるため、内容物の収納部分にかかることがなく、内容物が漏れたりする恐れはない。
【００２１】
また、左右の側辺部に設けられた側辺シール部（１１、１２）と、上辺部に設けられた上辺シール部（１３）と、斜めシール部（１４、１５）とに囲まれた領域に、未シール部（１８）が設けられている。
【００２２】
開口予定部（１６）近傍に形成されている切断線（ａ）に沿って開口予定部を引き裂くと、開口予定部が上辺部のシール縁に沿って容易に開封される。
なお、開口予定部のシール縁より内側で二つの切断線（ａ）の先端を結ぶ開封予定線（ｃ）を折り曲げ線等により形成しておくと開封する際、さらに容易な開封作業ができる。
【００２３】
さらに、包装袋の二つ折りを保持するために上部両隅角に設けられる係止部（２１）は、フック状、カギ状等つまみ操作がし易い形状であれば良く、例えば、つぎのようなものである。
【００２４】
すなわち、図３に示すように左右の係止部の一方の係止部（２１ｂ）は孔が穿設された受け部であり、もう一方の係止部（２１ａ）は隅角を切り欠いて突出部を形成させた差し込み部である。包装袋を切り欠き（ｂ）を中心に二つ折りした際、差し込み部（２１ａ）が形成された隅角の方を折り曲げるようにして受け部（２１ｂ）が形成された隅角に近づけ、受け孔に挿入する。すると差し込む部に形成された切り欠きが受け孔の周縁に引っ掛かり二つの係止部は容易に保持状態となる。
【図面の簡単な説明】
【００２５】
【図１】本発明の包装袋の一実施例を示す、平面説明図である。
【図２】図１を二つ折りした状態を示す、平面説明図である。
【図３】本発明の包装袋の使用時（内容物注出時）の状態を示す斜視説明図である。
【符号の説明】
【００２６】
１‥‥本体フィルム
２‥‥本体フィルム
１０‥‥包装袋
１１‥‥側辺部
１２‥‥側辺部
１３‥‥上辺部
１４‥‥斜めシール部
１５‥‥斜めシール部
１６‥‥開口予定部
１７‥‥下辺部
１８‥‥未シール部
２１‥‥係止部
２１ａ‥差し込み部
２１ｂ‥受け部
３０‥‥内容物
ａ‥‥開口誘導機構
ｂ‥‥切り欠き部
ｃ‥‥開封予定線
【図１】
2007297073.tif 000003
【図２】
2007297073.tif 000004
【図３】
2007297073.tif 000005